【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
それぞれが複数のサブフレームを含む複数の周期的に反復する時分割多重（ＴＤＭ）フレームを使用する、第１の端末と第２の端末との間の無線通信のための方法であって、前記方法は、
前記複数のサブフレームの第１のサブセットを利用し、第１のデータ帯域幅で、前記第１の端末から前記第２の端末にアップリンクデータを転送するステップであって、前記アップリンクデータは、第１の符号化スキームを使用して符号化される、ステップと、
前記複数のサブフレームの第２のサブセットを利用し、前記第１のデータ帯域幅と異なる第２のデータ帯域幅で、前記第２の端末から前記第１の端末にダウンリンクデータを転送するステップであって、前記ダウンリンクデータは、前記第１の符号化スキームと異なる第２の符号化スキームを使用して符号化される、ステップと、を含む、方法。
【請求項２】
それぞれが複数のサブフレームを含む複数の周期的に反復する時分割多重（ＴＤＭ）フレームを使用する、第１の端末と第２の端末との間の無線通信のための方法であって、前記方法は、
前記複数のサブフレームの第１のサブセットを利用し、第１のデータ帯域幅で、前記第１の端末から前記第２の端末にアップリンクデータを転送するステップであって、前記アップリンクデータは、第１の変調スキームを使用して変調される、ステップと、
前記複数のサブフレームの第２のサブセットを利用し、前記第１のデータ帯域幅とは異なる第２のデータ帯域幅で、前記第２の端末から前記第１の端末にダウンリンクデータを転送するステップであって、前記ダウンリンクデータは、前記第１の変調スキームと異なる第２の変調スキームを使用して変調される、ステップと、を含む、方法。
【請求項３】
前記第１の端末は基地局または遠隔制御デバイスのうちの少なくとも１つを含む、請求項１または２に記載の方法。
【請求項４】
前記第２の端末はモバイルプラットフォームを含む、請求項１〜３のいずれか１項に記載の方法。
【請求項５】
前記モバイルプラットフォームは無人航空機（ＵＡＶ）を含む、請求項４に記載の方法。
【請求項６】
前記アップリンクデータまたはダウンリンクデータは、前記第１の端末と前記第２の端末との動作を同期させるために使用可能な同期情報を含む、請求項１〜５のいずれか１項に記載の方法。
【請求項７】
前記同期情報は、ＴＤＭサブフレームの割り当てに関係するタイミング情報を含む、請求項６に記載の方法。
【請求項８】
前記アップリンクデータは、前記第２の端末の動作を制御するための制御データを含む、請求項１〜７のいずれか１項に記載の方法。
【請求項９】
前記ダウンリンクデータは、前記第２の端末によって収集される情報を含む、請求項１〜８のいずれか１項に記載の方法。
【請求項１０】
前記第２の端末によって収集される前記情報は、前記第２の端末と関連する視覚センサによって取得される画像データを含む、請求項９に記載の方法。
【請求項１１】
複数のチャネルから、前記複数の利用可能なチャネルと関連する１つ以上のチャネル特性に少なくとも部分的に基づいて、動作周波数を選択するステップをさらに含み、前記ダウンリンクデータは、前記選択された動作周波数を使用して転送される、請求項１〜１０のいずれか１項に記載の方法。
【請求項１２】
前記１つ以上のチャネル特性は、ノイズ、干渉、シグナル対ノイズ比（ＳＮＲ）、ビットエラーレート、またはフェージング率のうちの少なくとも１つを含む、請求項１１に記載の方法。
【請求項１３】
前記ダウンリンクデータの転送が失敗したと判定した場合、前記第２の端末から前記第１の端末に前記ダウンリンクデータを再転送するステップをさらに含む、請求項１〜１２のいずれか１項に記載の方法。
【請求項１４】
前記アップリンクデータの転送が失敗したと判定した場合、前記アップリンクデータの前記転送のみを許可するステップをさらに含む、請求項１〜１３のいずれか１項に記載の方法。
【請求項１５】
前記第２の符号化スキームは、前記第１の符号化スキームよりも効率的である、請求項１に記載の方法。
【請求項１６】
１つ以上のチャネル条件に少なくとも部分的に基づいて、前記第１の符号化スキームまたは前記第２の符号化スキームを動的に変化させるステップをさらに含む、請求項１に記載の方法。
【請求項１７】
前記第１の変調スキームは、直接シーケンススペクトル拡散（ＤＳＳＳ）、周波数ホッピングスペクトル拡散（ＦＨＳＳ）、または周波数偏移変調（ＦＳＫ）のうちの少なくとも１つを含む、請求項２に記載の方法。
【請求項１８】
前記第２の変調スキームは直交振幅変調（ＱＡＭ）を含む、請求項２に記載の方法。
【請求項１９】
前記第１の変調スキームは単一搬送波変調スキームを含み、前記第２の変調スキームは複数搬送波変調スキームを含む、請求項２に記載の方法。
【請求項２０】
前記第２の変調スキームは前記第１の変調スキームよりも高次である、請求項２に記載の方法。
【請求項２１】
前記ダウンリンクデータは高効率符号化スキームで符号化される、請求項１〜２０のいずれか１項に記載の方法。
【請求項２２】
前記高効率符号化スキームは低密度パリティ検査コード（ＬＤＰＣ）を含む、請求項２１に記載の方法。
【請求項２３】
１つ以上のチャネル条件に少なくとも部分的に基づいて、前記第１の変調スキームまたは前記第２の変調スキームを動的に変化させるステップをさらに含む、請求項２に記載の方法。
【請求項２４】
データ通信システムであって、前記システムは
アップリンク送信機とダウンリンク受信機とを備える第１の端末と、アップリンク受信機とダウンリンク送信機とを備える第２の端末と、を備え、
前記アップリンク送信機は、第１の時間帯で前記第２の端末にアップリンクデータを送信するように構成され、
前記ダウンリンク受信機は、第２の時間帯で、１つ以上のチャネルと関連するチャネル品質を測定して動作周波数を選択し、第３の時間帯で、前記動作周波数を使用して、前記第２の端末によって提供されるダウンリンクデータを受信するように構成され、
前記アップリンク受信機は、前記第１の時間帯で前記アップリンクデータを受信するように構成され、
前記ダウンリンク送信機は、前記第３の時間帯で、前記動作周波数を使用して、前記ダウンリンクデータを送信するように構成される、システム。
【請求項２５】
前記第１の時間帯、前記第２の時間帯、および前記第３の時間帯は、それぞれ、１つ以上の時分割多重（ＴＤＭ）サブフレームを含む、請求項２４に記載のシステム。
【請求項２６】
前記第１の端末の前記アップリンク送信機はさらに、前記第１の端末の前記ダウンリンク受信機に同期情報を送信するように構成される、請求項２４または２５に記載のシステム。
【請求項２７】
前記第２の端末の前記アップリンク受信機はさらに、前記第１の時間帯、前記第２の時間帯、および前記第３の時間帯の前記タイミング情報を取得して、前記ダウンリンク送信機に前記タイミング情報を提供するように構成される、請求項２６に記載のシステム。
【請求項２８】
前記アップリンクデータまたはダウンリンクデータは、前記第１の端末と前記第２の端末との動作を同期させるために使用可能な同期情報を含む、請求項２４〜２７のいずれか１項に記載のシステム。
【請求項２９】
複数のチャネルから、前記複数の利用可能なチャネルと関連する１つ以上のチャネル特性に少なくとも部分的に基づいて、動作周波数を選択することをさらに備える、請求項２４〜２８のいずれか１項に記載のシステム。
【請求項３０】
前記ダウンリンク受信機はさらに、前記動作周波数に関係する前記動作周波数情報を前記アップリンク送信機に提供するように構成され、前記アップリンク送信機はさらに、前記動作周波数情報を送信するように構成される、請求項２４〜２９のいずれか１項に記載のシステム。
【請求項３１】
前記ダウンリンク送信機はさらに、前記ダウンリンクデータを送信する前に、符号化スキームを使用して、前記ダウンリンクを符号化するように構成され、前記ダウンリンク受信機はさらに、前記符号化されたダウンリンクデータを受信して、前記符号化スキームに対応する復号化スキームを使用して前記受信されたダウンリンクデータを復号化するように構成される、請求項２４〜３０のいずれか１項に記載のシステム。